(57)【要約】【課題】ユーザが携帯している可搬物を用いてユーザの位置の履歴を容易に管理することができるようにする。【解決手段】読取ユニット１０は、可搬物に取り付けられたＩＣタグからＵＩＤを読み取る。タグ管理システム２０のタグ情報データベース２３２には、ユニットＩＤ、ＵＩＤ、日時が記憶される。タグ管理システム２０は、入力されたユーザＩＤに対応するタグＩＤを可搬物データベース２３３から読み出し、読み出したタグＩＤのそれぞれについて、タグＩＤに対応する日時およびユニットＩＤをタグ情報データベース２３２から読み出し、読み出したユニットＩＤに対応する設置位置を読取ユニットデータベース２３１から読み出すタグ情報検索部２１４と、日時順に設置位置の一覧を出力する移動履歴出力部２１５とを備える。【選択図】図１
2010134621.tif 000002
【特許請求の範囲】
【請求項１】
対象者の移動履歴を管理するシステムであって、
可搬物に取り付けられたＩＣタグから前記ＩＣタグの識別情報であるタグＩＤを読み取る複数の読取ユニットと、
前記読取ユニットを識別するユニットＩＤ、前記読み取ったタグＩＤ、および前記タグＩＤを読み取った日時を対応付けて記憶するタグ情報記憶部と、
前記ユニットＩＤに対応付けて、前記読取ユニットが設置されている位置を示す位置情報を記憶する位置情報データベースと、
前記対象者を特定する対象者特定情報に対応付けて、前記対象者が携帯する前記可搬物に取り付けられている前記ＩＣタグの前記タグＩＤを記憶する可搬物データベースと、
前記対象者特定情報の入力を受け付ける対象者特定情報入力部と、
前記受け付けた対象者特定情報に対応する前記タグＩＤを前記可搬物データベースから読み出す携帯物特定部と、
前記読み出したタグＩＤのそれぞれについて、当該タグＩＤに対応する前記日時および前記ユニットＩＤを前記タグ情報記憶部から読み出し、当該ユニットＩＤに対応する前記位置情報を前記位置情報データベースから読み出すタグ情報検索部と、
前記日時順に前記位置情報の一覧を出力する移動履歴出力部と、
を備えることを特徴とする移動履歴管理システム。
【請求項２】
請求項１に記載の移動履歴管理システムであって、
前記読取ユニットのそれぞれが、前記ＩＣタグから前記タグＩＤを読み取るＩＣタグリーダと、前記タグ情報記憶部と、を備え、
前記読取ユニットのそれぞれと通信可能に接続するサーバが、前記位置情報データベースと、前記可搬物データベースと、前記対象者特定情報入力部と、前記携帯物特定部と、前記移動履歴出力部と、を備えること、
を特徴とする移動履歴管理システム。
【請求項３】
請求項２に記載の移動履歴管理システムであって、
前記読取ユニットのそれぞれは電力設備に取り付けられ、
前記読取ユニットと前記サーバとの間の通信は、電力線を通じて行われること、
を特徴とする移動履歴管理システム。
【請求項４】
請求項１に記載の移動履歴管理システムであって、
前記位置情報は、前記読取ユニットが設置されている場所の住所であること、
を特徴とする移動履歴管理システム。
【請求項５】
請求項１に記載の移動履歴管理システムであって、
前記位置情報は、前記読取ユニットが設置されている地図上の位置を緯度および経度により表したものであり、
前記移動履歴出力部は、前記地図を出力するとともに、前記位置情報が示す前記地図上の位置に、前記ＩＣタグを示す情報を出力すること、
を特徴とする移動履歴管理システム。
【請求項６】
請求項１に記載の移動履歴管理システムであって、
前記ＩＣタグには、前記タグＩＤに加えて、前記タグＩＤとは異なるデータである記録データが記録されており、
前記読取ユニットは、前記タグＩＤおよび前記記録データを前記ＩＣタグから読み取り、
前記タグ情報記憶部は、前記ユニットＩＤ、前記タグＩＤ、および前記記録データを記憶し、
前記携帯物特定部は、前記対象者特定情報に対応する前記タグＩＤおよび前記記録データを前記タグ情報記憶部から読み出し、
前記移動履歴出力部は、前記位置情報と前記記録データを出力すること、
を特徴とする移動履歴管理システム。
【請求項７】
対象者の移動履歴を管理する方法であって、
コンピュータが、
可搬物に取り付けられたＩＣタグから前記ＩＣタグの識別情報であるタグＩＤを読み取り、
前記読取ユニットを識別するユニットＩＤ、前記読み取ったタグＩＤ、および前記タグＩＤを読み取った日時を対応付けてメモリに記憶し、
前記ユニットＩＤに対応付けて、前記読取ユニットが設置されている位置を示す位置情報を前記メモリに記憶し、
前記対象者を特定する対象者特定情報に対応付けて、前記対象者が携帯する前記可搬物に取り付けられている前記ＩＣタグの前記タグＩＤを前記メモリに記憶し、
前記対象者特定情報の入力を受け付け、
前記受け付けた対象者特定情報に対応する前記タグＩＤを前記メモリから読み出し、
前記読み出したタグＩＤのそれぞれについて、当該タグＩＤに対応する前記日時および前記ユニットＩＤを前記メモリから読み出し、当該ユニットＩＤに対応する前記位置情報を前記メモリから読み出し、
前記日時順に前記位置情報の一覧を出力すること、
を特徴とする移動履歴管理方法。
【請求項８】
対象者の移動履歴を管理するためのプログラムであって、
コンピュータに、
可搬物に取り付けられたＩＣタグから前記ＩＣタグの識別情報であるタグＩＤを読み取るステップと、
前記読取ユニットを識別するユニットＩＤ、前記読み取ったタグＩＤ、および前記タグＩＤを読み取った日時を対応付けてメモリに記憶するステップと、
前記ユニットＩＤに対応付けて、前記読取ユニットが設置されている位置を示す位置情報を前記メモリに記憶するステップと、
前記対象者を特定する対象者特定情報に対応付けて、前記対象者が携帯する前記可搬物に取り付けられている前記ＩＣタグの前記タグＩＤを前記メモリに記憶するステップと、
前記対象者特定情報の入力を受け付けるステップと、
前記受け付けた対象者特定情報に対応する前記タグＩＤを前記メモリから読み出し、
前記読み出したタグＩＤのそれぞれについて、当該タグＩＤに対応する前記日時および前記ユニットＩＤを前記メモリから読み出し、当該ユニットＩＤに対応する前記位置情報を前記メモリから読み出すステップと、
前記日時順に前記位置情報の一覧を出力するステップと、
を実行させるためのプログラム。
【発明の詳細な説明】
【技術分野】
【０００１】
本発明は、移動履歴管理システム、移動履歴管理方法およびプログラムに関する。
【背景技術】
【０００２】
ユーザが携帯している携帯電話の発する電波からユーザの位置を特定することが行われている。例えば、特許文献１には、携帯電話や無線通信器などから発せられる電波を受信して遭難者の位置を特定する仕組みが開示されている。
【特許文献１】特開２００４−３１７２４４号公報
【発明の開示】
【発明が解決しようとする課題】
【０００３】
しかしながら、特許文献１に記載のシステムでは、携帯電話からの電波を受信する受信装置を搭載した小型航空機の位置をＧＰＳにより特定するとともに、携帯電話からの電波の方位角や俯角、仰角などと、ＧＰＳによる位置データとから遭難者の位置を特定しているため、遭難者が移動しているような場合には、移動先の位置ごとに、ＧＰＳの位置データや電波の方位角等を取得する必要があり、位置の特定に手間がかかる。
【０００４】
本発明は、このような背景を鑑みてなされたものであり、ユーザが携帯している可搬物を用いてユーザの位置の履歴を容易に管理することのできる、移動位置管理システム、移動位置管理方法およびプログラムを提供することを目的とする。
【課題を解決するための手段】
【０００５】
上記課題を解決するための本発明の主たる発明は、対象者の移動履歴を管理するシステムであって、可搬物に取り付けられたＩＣタグから前記ＩＣタグの識別情報であるタグＩＤを読み取る複数の読取ユニットと、前記読取ユニットを識別するユニットＩＤ、前記読み取ったタグＩＤ、および前記タグＩＤを読み取った日時を対応付けて記憶するタグ情報記憶部と、前記ユニットＩＤに対応付けて、前記読取ユニットが設置されている位置を示す位置情報を記憶する位置情報データベースと、前記対象者を特定する対象者特定情報に対応付けて、前記対象者が携帯する前記可搬物に取り付けられている前記ＩＣタグの前記タグＩＤを記憶する可搬物データベースと、前記対象者特定情報の入力を受け付ける対象者特定情報入力部と、前記受け付けた対象者特定情報に対応する前記タグＩＤを前記可搬物データベースから読み出す携帯物特定部と、前記読み出したタグＩＤのそれぞれについて、当該タグＩＤに対応する前記日時および前記ユニットＩＤを前記タグ情報記憶部から読み出し、当該ユニットＩＤに対応する前記位置情報を前記位置情報データベースから読み出すタグ情報検索部と、前記日時順に前記位置情報の一覧を出力する移動履歴出力部と、を備えることとする。
【０００６】
本発明の移動履歴管理システムによれば、読取ユニットがＩＣタグからタグＩＤを読み取った履歴を利用者の移動履歴として把握することができる。読取ユニットの設置位置は予め位置情報データベースに記憶されているため、ＧＰＳなどを用いて計算することなくＩＣタグの位置を容易に特定することができる。また、読取ユニットがＩＣタグからデータを読取可能な範囲が移動履歴の誤差となるが、一般にＩＣタグからデータを読取可能な範囲は広くないので、精度よく移動履歴を管理することができる。
【０００７】
また、本発明の移動履歴管理システムでは、前記読取ユニットのそれぞれが、前記ＩＣタグから前記タグＩＤを読み取るＩＣタグリーダと、前記タグ情報記憶部と、を備え、前記読取ユニットのそれぞれと通信可能に接続するサーバが、前記位置情報データベースと、前記可搬物データベースと、前記対象者特定情報入力部と、前記携帯物特定部と、前記移動履歴出力部と、を備えるようにしてもよい。
【０００８】
また、本発明の移動履歴管理システムでは、前記読取ユニットのそれぞれは電力設備に取り付けられ、前記読取ユニットと前記サーバとの間の通信は、電力線を通じて行われるようにしてもよい。
【０００９】
この場合、電柱や電力計などの電力設備に読取ユニットを設け、電力線を通じて通信を行うことができるので、電力線や電力設備を有する電力会社が読取ユニットを設置する場合にはコストを抑えることができる。また、電柱や電力計などは広く普及しており、また地域のいたるところに存在していることから、地域の網羅的な地点においてＩＣタグからデータを読み取ることができる。よって、移動履歴を精度よく管理することができる。
【００１０】
また、本発明の移動履歴管理システムでは、前記位置情報は、前記読取ユニットが設置されている場所の住所であるようにしてもよい。  
この場合、ＩＣタグを所持している利用者の移動履歴を住所によって出力することができる。したがって、移動履歴の閲覧者は、利用者が移動した場所を容易に把握することができる。
【００１１】
また、本発明の移動履歴管理システムでは、前記位置情報は、前記読取ユニットが設置されている地図上の位置を緯度および経度により表したものであり、前記移動履歴出力部は、前記地図を出力するとともに、前記位置情報が示す前記地図上の位置に、前記ＩＣタグを示す情報を出力するようにしてもよい。  
この場合、利用者が移動した軌跡を地図上に出力することができるので、閲覧者は利用者の移動した軌跡を容易に把握することができる。
【００１２】
また、本発明の移動履歴管理システムでは、前記ＩＣタグには、前記タグＩＤに加えて、前記タグＩＤとは異なるデータである記録データが記録されており、前記読取ユニットは、前記タグＩＤおよび前記記録データを前記ＩＣタグから読み取り、前記タグ情報記憶部は、前記ユニットＩＤ、前記タグＩＤ、および前記記録データを記憶し、前記携帯物特定部は、前記対象者特定情報に対応する前記タグＩＤおよび前記記録データを前記タグ情報記憶部から読み出し、前記移動履歴出力部は、前記位置情報と前記記録データを出力するようにしてもよい。  
この場合、ＩＣタグの記録内容の変化を容易に把握することができる。
【００１３】
また、本発明の他の態様は、対象者の移動履歴を管理する方法であって、コンピュータが、可搬物に取り付けられたＩＣタグから前記ＩＣタグの識別情報であるタグＩＤを読み取り、前記読取ユニットを識別するユニットＩＤ、前記読み取ったタグＩＤ、および前記タグＩＤを読み取った日時を対応付けてメモリに記憶し、前記ユニットＩＤに対応付けて、前記読取ユニットが設置されている位置を示す位置情報を前記メモリに記憶し、前記対象者を特定する対象者特定情報に対応付けて、前記対象者が携帯する前記可搬物に取り付けられている前記ＩＣタグの前記タグＩＤを前記メモリに記憶し、前記対象者特定情報の入力を受け付け、前記受け付けた対象者特定情報に対応する前記タグＩＤを前記メモリから読み出し、前記読み出したタグＩＤのそれぞれについて、当該タグＩＤに対応する前記日時および前記ユニットＩＤを前記メモリから読み出し、当該ユニットＩＤに対応する前記位置情報を前記メモリから読み出し、前記日時順に前記位置情報の一覧を出力することとする。
【００１４】
また、本発明の他の態様は、対象者の移動履歴を管理するためのプログラムであって、コンピュータに、可搬物に取り付けられたＩＣタグから前記ＩＣタグの識別情報であるタグＩＤを読み取るステップと、前記読取ユニットを識別するユニットＩＤ、前記読み取ったタグＩＤ、および前記タグＩＤを読み取った日時を対応付けてメモリに記憶するステップと、前記ユニットＩＤに対応付けて、前記読取ユニットが設置されている位置を示す位置情報を前記メモリに記憶するステップと、前記対象者を特定する対象者特定情報に対応付けて、前記対象者が携帯する前記可搬物に取り付けられている前記ＩＣタグの前記タグＩＤを前記メモリに記憶するステップと、前記対象者特定情報の入力を受け付けるステップと、前記受け付けた対象者特定情報に対応する前記タグＩＤを前記メモリから読み出し、前記読み出したタグＩＤのそれぞれについて、当該タグＩＤに対応する前記日時および前記ユニットＩＤを前記メモリから読み出し、当該ユニットＩＤに対応する前記位置情報を前記メモリから読み出すステップと、前記日時順に前記位置情報の一覧を出力するステップと、を実行させることとする。
【００１５】
その他本願が開示する課題やその解決方法については、発明の実施形態の欄及び図面により明らかにされる。
【発明の効果】
【００１６】
本発明によれば、ユーザが携帯している可搬物を用いてユーザの位置の履歴を容易に管理することができる。
【発明を実施するための最良の形態】
【００１７】
以下、本発明の一実施形態に係る移動履歴管理システムについて説明する。本実施形態の移動履歴管理システムは、ユーザが携帯しうる可搬物に取り付けられたＩＣタグの移動履歴を記憶しておき、ユーザが移動した軌跡を追跡するものである。なお、ＩＣタグはアクティブタイプであってもパッシブタイプであってもよい。
【００１８】
図１は、本実施形態の移動履歴管理システムの全体構成を示す図である。本実施形態の移動履歴管理システムは読取ユニット１０とタグ管理システム２０とを含んで構成される。読取ユニット１０とタグ管理システム２０とは通信ネットワーク３０を介して互いに通信可能に接続される。通信ネットワーク３０は、例えば、インターネットやＬＡＮ（Local Area Network）、ＶＡＮ（Value Added Network）などであり、イーサネット（登録商標）やＰＬＣ（Power Line Communications）、電話回線網、無線通信網などにより構築される。本実施形態では、通信ネットワーク３０上ではＴＣＰ／ＩＰにより通信が行われているものとする。
【００１９】
読取ユニット１０は、電柱３や電力計４などの電力設備に取り付けられる、ＩＣタグからＩＣタグからデータを読み取る装置である。本実施形態では、読取ユニット１０は、ＩＣタグからデータを読み取るＩＣタグリーダを備えるコンピュータである。なお、読取ユニット１０は電力計４の一部として実現するようにしてもよい。  
タグ管理システム２０は、読取ユニット１０が読み取ったＵＩＤの履歴を管理する、例えば、パーソナルコンピュータやワークステーションなどのコンピュータである。
【００２０】
＝＝読取ユニット１０＝＝
図２は、読取ユニット１０のハードウェア構成を示す図である。読取ユニット１０は、ＣＰＵ１０１、メモリ１０２、記憶装置１０３、通信インタフェース１０４、ＩＣタグリーダ１０５を備えている。記憶装置１０３は、各種のデータやプログラムを記憶する、例えば、フラッシュメモリやハードディスクドライブである。ＣＰＵ１０１は、記憶装置１０３からプログラムをメモリ１０２に読み出して実行することにより各種の機能を実現する。通信インタフェース１０４は、通信ネットワーク３０に接続するためのインタフェースであり、イーサネット（登録商標）のアダプタ、ＰＬＣモデム、無線通信器、電話回線に接続するためのモデムなどである。ＩＣタグリーダ１０５は、アクティブタイプおよびパッシブタイプを問わず各種のＩＣタグから、ＩＣタグに記録されているデータ（以下、タグ情報という。）を読み取る。タグ情報には、ＩＣタグの識別情報（ＵＩＤ；Unique IDentifier）と、各種のブロック単位のデータ（以下、記録データという。）とが含まれる。なお、読取ユニット１０は、アクティブタイプのＩＣタグからタグ情報を読み取るＩＣタグリーダ１０５と、パッシブタイプのＩＣタグからタグ情報を読み取るＩＣタグリーダ１０５とを両方備えるようにしてもよい。また、本実施形態では、ＩＣタグリーダ１０５は、非接触でＩＣタグからタグ情報を読み取るものとするが、例えば、ＩＣカードを利用した自動販売機などの装置にＩＣタグリーダの機能を持たせ、接触方式でＩＣタグからタグ情報を読み取るようにしてもよい。
【００２１】
図３は、読取ユニット１０のソフトウェア構成を示す図である。読取ユニット１０は、タグ情報取得部１１１、タグ情報取得要求受信部１１２、タグ情報送信部１１３、タグ情報記憶部１３１およびユニットＩＤ記憶部１３２を備えている。なお、タグ情報取得部１１１、タグ情報取得要求受信部１１２およびタグ情報送信部１１３は、読取ユニット１０が備えるＣＰＵ１０１が記憶装置１０３に記憶されているプログラムをメモリ１０２に読み出して実行することにより実現される。また、タグ情報記憶部１３１およびユニットＩＤ記憶部１３２は、読取ユニット１０が備えるメモリ１０２や記憶装置１０３が提供する記憶領域として実現される。
【００２２】
ユニットＩＤ記憶部１３２は、各読取ユニット１０の識別情報（以下、ユニットＩＤという。）を記憶する。なお、ユニットＩＤ記憶部１３２には、予めユニットＩＤが記憶されているものとする。本実施形態では、ユニットＩＤは、ＩＰアドレスであるものとするが、任意に割り当てられる文字や数字などであってもよい。  
タグ情報記憶部１３１は、タグ情報を記憶する。図４にタグ情報記憶部１３１に記憶されるタグ情報の構成例を示す。タグ情報には、ＩＣタグからＵＩＤおよび記録データを読み出した日時、ＩＣタグのＵＩＤおよび記録データが含まれる。
【００２３】
タグ情報取得部１１１は、ＩＣタグリーダ１０５を制御して、ＩＣタグからタグ情報を読み取る。タグ情報取得部１１１は、読み取ったタグ情報をタグ情報記憶部１３１に登録する。タグ情報取得部１１１は、例えば、１秒や１０秒、１分などの所定の時間おきに、近傍に存在するＩＣタグからタグ情報を取得する。  
タグ情報取得要求受信部１１２は、タグ管理システム２０から送信される、タグ情報を取得するためのコマンド（以下、タグ情報取得要求という。）を受信する。
【００２４】
タグ情報送信部１１３は、タグ情報取得要求に応じて、タグ情報記憶部１３１からタグ情報を読み出して、タグ管理システム２０に送信する。なお、タグ情報送信部１１３は、タグ情報取得要求に日時が設定されている場合には、タグ情報取得要求に設定されている日時より後の日時のタグ情報のみをタグ情報記憶部１３１から読み出すようにする。
【００２５】
＝＝タグ管理システム２０＝＝
図５は、タグ管理システム２０のハードウェア構成を示す図である。タグ管理システム２０は、ＣＰＵ２０１、メモリ２０２、記憶装置２０３、通信インタフェース２０４、入力装置２０５、出力装置２０６を備えている。記憶装置２０３は、各種のプログラムやデータを記憶する、例えば、ハードディスクドライブやフラッシュメモリ、ＣＤ−ＲＯＭドライブなどである。ＣＰＵ２０１は、記憶装置２０３に記憶されているプログラムをメモリ２０２に読み出して実行することにより各種の機能を実現する。通信インタフェース２０４は、通信ネットワーク３０に接続するためのインタフェースである。イーサネット（登録商標）のアダプタ、ＰＬＣモデム、無線通信器、電話回線に接続するためのモデムなどである。入力装置２０５は、データの入力を受け付ける、例えばキーボードやマウス、タッチパネル、マイクロフォンなどである。出力装置２０６は、データを出力する、例えばディスプレイやプリンタ、スピーカなどである。
【００２６】
図６は、タグ管理システム２０のソフトウェア構成を示す図である。タグ管理システム２０は、タグ情報取得要求送信部２１１、タグ情報受信部２１２、ユーザＩＤ入力部２１３、タグ情報検索部２１４、移動履歴出力部２１５、読取ユニットデータベース２３１、タグ情報データベース２３２および可搬物データベース２３３を備えている。なお、タグ情報取得要求送信部２１１、タグ情報受信部２１２、ユーザＩＤ入力部２１３、タグ情報検索部２１４および移動履歴出力部２１５はタグ管理システム２０が備えるＣＰＵ２０１が記憶装置２０３に記憶されているプログラムをメモリ２０２に読み出して実行することにより実現される。また、読取ユニットデータベース２３１、タグ情報データベース２３２および可搬物データベース２３３は、タグ管理システム２０が備えるメモリ２０２や記憶装置２０３が提供する記憶領域として実現される。
【００２７】
読取ユニットデータベース２３１は、読取ユニット１０が設定されている位置を含む情報（以下、ユニット情報という。）を記憶する。図７は、読取ユニットデータベース２３１に記憶されるユニット情報の構成例を示す図である。ユニット情報は、読取ユニット１０のユニットＩＤ、読取ユニット１０の設置位置および最終更新日が含まれる。設置位置は、読取ユニット１０が設置されている位置であり、本実施形態では緯度および経度で表されるものとする。最終更新日時は、当該ユニットＩＤが示す読取ユニット１０から取得した最新のタグ情報の日時である。後述するように、タグ管理システム２０は、各読取ユニット１０からタグ情報を取得して、タグ情報データベース２３２に登録していく。
【００２８】
タグ情報データベース２３２は、読取ユニット１０から取得したタグ情報を記憶する。図８は、タグ情報データベース２３２に記憶されるタグ情報の構成例を示す図である。同図に示すように、タグ情報データベース２３２に記憶されるタグ情報には、上述した図４に示すタグ情報の項目に加えて、当該タグ情報を取得した読取ユニット１０のユニットＩＤが含まれる。
【００２９】
タグ情報取得要求送信部２１１は、タグ情報取得要求を読取ユニット１０に送信する。タグ情報取得要求送信部２１１は、読取ユニットデータベース２３１に登録されている各ユニット情報について、ユニット情報に含まれるユニットＩＤを宛先としたタグ情報取得要求を、ユニット情報に最終更新日時が含まれている場合には、ユニット情報に含まれている最終更新日時を設定して、ユニットＩＤが示す読取ユニット１０に送信する。なお、タグ情報取得要求送信部２１１は、例えば、１分や５分、１時間などの所定の時間ごとに、定期的にタグ情報取得要求を送信するようにする。
【００３０】
タグ情報受信部２１２は、ユニット情報取得要求に応じて読取ユニット１０から送信されるタグ情報を受信する。タグ情報受信部２１２は、受信したタグ情報に、タグ情報の送信元の読取ユニット１０のユニットＩＤを追加してタグ情報データベース２３２に登録する。
【００３１】
可搬物データベース２３３は、ユーザが携帯しうる可搬物に取り付けられているＩＣタグに関する情報（以下、可搬物情報という。）を記憶する。図９は、可搬物データベース２３３に記憶される可搬物情報の構成例を示す図である。可搬物情報は、ユーザの識別情報（以下、ユーザＩＤという。）、ユーザが携帯しうる可搬物の名称、当該可搬物に取り付けられるＩＣタグのＵＩＤを含む。
【００３２】
ユーザＩＤ入力部２１３は、移動した軌跡の追跡対象となるユーザ（以下、追跡ユーザという。）を示すユーザＩＤ（以下、追跡ＩＤという。）の入力を受け付ける。  
タグ情報検索部２１４は、追跡ユーザに関係するタグ情報をタグ情報データベース２３２から取得する。具体的には、タグ情報検索部２１４は、追跡ＩＤに対応する可搬物情報を可搬物データベース２３３から読み出し、読み出した可搬物情報のそれぞれについて、可搬物情報に含まれるＵＩＤに対応するタグ情報をタグ情報データベース２３２から読み出す。
【００３３】
移動履歴出力部２１５は、タグ情報検索部２１４が読み出したタグ情報をＵＩＤごとに出力する。具体的には、移動履歴出力部２１５は、読み出したタグ情報に含まれるＵＩＤのそれぞれについて、ＵＩＤに対応するタグ情報を抽出し、抽出したタグ情報を日時順にソートし、タグ情報に含まれるユニットＩＤに対応する位置情報を読取ユニットデータベース２３１から読み出し、位置情報を出力する。移動履歴出力部２１５は、例えば、地図上に位置情報を出力するようにすることができる。また、移動履歴出力部２１５は、位置情報が示す位置を地図上の図形（例えば、点や丸など）として出力し、その図形を日時順に結ぶ直線を出力するようにすることもできる。
【００３４】
以下、タグ管理システム２０において実行される処理の流れについて説明する。図１０は、タグ管理システム２０が追跡ユーザについての移動履歴を出力する処理の流れを示す図である。
【００３５】
ユーザＩＤ入力部２１３が追跡ＩＤの入力を受け付けると（Ｓ３０１）、タグ情報検索部２１４は、入力された追跡ＩＤに対応する可搬物情報を可搬物データベース２３３から読み出す（Ｓ３０２）。読み出された可搬物情報のそれぞれについて以下の処理が行われる。
【００３６】
タグ情報検索部２１４は、可搬物情報のＵＩＤに対応するタグ情報をタグ情報データベース２３２から読み出し（Ｓ３０３）、読み出したタグ情報を日時順にソートする（Ｓ３０４）。ソートしたタグ情報のそれぞれについて以下の処理が行われる。
【００３７】
タグ情報検索部２１４は、タグ情報のユニットＩＤに対応するユニット情報を読取ユニットデータベース２３１から読み出す（Ｓ３０５）。移動履歴出力部２１５は、地図を表示済みでなければ（Ｓ３０６：ＮＯ）、地図を表示する（Ｓ３０７）。ここで移動履歴出力部２１５は、例えば、ステップＳ３０５でタグ情報検索部２１４が取得したタグ情報に対応するユニット情報の設置位置を基準として所定の範囲内の地図を表示するようにするようにしてもよい。
【００３８】
移動履歴出力部２１５は、ユニット情報の設置位置に対応する地図上の位置に、例えば点や丸、四角などの図形を表示する（Ｓ３０８）。また、移動履歴出力部２１５は、ユニット情報の設置位置を前位置とする（Ｓ３０９）。  
一方、既に地図を出力済みであれば（Ｓ３０６：ＹＥＳ）、移動履歴出力部２１５は、前位置に対応する地図上の位置から、ユニット情報の設置位置に対応する地図上の位置まで直線を描画してから（Ｓ３１０）、ステップＳ３０８に進む。
【００３９】
以上の処理を各可搬物情報および各タグ情報について行うことにより、地図上に、追跡ユーザが携帯しているものに取り付けられたＩＣタグのタグ情報を読み取った読取ユニット１０の設置位置の履歴が表示される。
【００４０】
図１１は、移動履歴出力部２１５が出力する追跡ユーザの移動履歴の表示画面４１の一例を示す図である。表示画面４１には、追跡ユーザに対応するＩＣタグのタグ情報を読み取った読取ユニット１０の位置を示す図形４１１およびそれらを時系列的に接続する直線４１２が表示される。図形４１１および直線４１２は、登録された可搬物ごとに表示される。したがって、例えば、可搬物が盗難された場合には、他の可搬物に取り付けられたＩＣタグの軌跡とは異なる軌跡が地図上に表示されることになる。したがって、窃盗犯の行動を追跡することも容易である。
【００４１】
以上説明したように、本実施形態の移動履歴管理システムによれば、電柱や電力計などの電力設備に取り付けられる読取ユニット１０が、ユーザが携帯しうるものに取り付けられているＩＣタグから読み取り、タグ管理システム２０は、指定された追跡ユーザに対応するタグ情報の履歴を取得して、そのタグ情報を読み取った読取ユニット１０の設置位置を出力することができる。ＩＣタグからタグ情報を読み取ることのできる範囲は一般にそれほど広くないので、ＩＣタグからタグ情報を読み取った読取ユニット１０の設置位置の履歴は、追跡ユーザの移動した軌跡にほぼ一致する。また、電柱や電力計などの電力設備は広い範囲に密度高く存在している。したがって、本実施形態の移動履歴管理システムによれば、追跡ユーザの移動履歴を容易に地図上に表示することができる。
【００４２】
また、既存の電柱や電力計などの電力設備に読取ユニットを設置すればよいので、電力設備を保有している電力会社であれば、低コストにユーザの移動履歴を管理することが可能となる。
【００４３】
また、本実施形態の移動履歴管理システムによれば、読取ユニット１０とタグ管理システム２０との両方でタグ情報を記録しているので、タグ情報のバックアップを行うことなく、タグ情報を二重化することができる。
【００４４】
また、本実施形態の移動履歴管理システムによれば、読取ユニット１０の設置位置が予め読取ユニットデータベース２３１に設定されるので、例えば、ＧＰＳなどを用いてＩＣタグの位置を特定する必要がない。したがって、位置の特定にかかる処理を簡単にしつつ、移動履歴の誤差をＩＣタグからのデータの読取範囲に限定することが可能となる。
【００４５】
なお、本実施形態の移動履歴管理システムでは、タグ管理システム２０が定期的に読取ユニット１０にタグ情報取得要求を送信し、読取ユニットはタグ情報取得要求に応じてタグ情報をタグ管理システム２０に送信するものとしたが、これに限らず、例えば、読取ユニット１０がＩＣタグからタグ情報を取得するごとに、取得したタグ情報をタグ管理システム２０に送信するようにしてもよい。この場合には、読取ユニット１０においてタグ情報記憶部１３１を省略してもよい。これにより、読取ユニット１０の構造が簡単になり低コストで読取ユニット１０を作ることができる。
【００４６】
また、本実施形態の移動履歴管理システムでは、追跡ＩＤの入力に応じて、追跡ユーザが携帯しうるものに取り付けられるＩＣタグに係るタグ情報の履歴を検索するものとしたが、例えば、タグ管理システム２０は、ある特定のものに取り付けられるＩＣタグを示すＵＩＤの入力を受け付けるＵＩＤ入力部を備えるようにし、タグ情報検索部２１４は、ＵＩＤ入力部が受け付けたＵＩＤに対応するタグ情報をタグ情報データベース２３２から取得するようにしてもよい。この場合、移動履歴管理システムは、例えば、紛失物などの検索に利用することができる。
【００４７】
また、本実施形態の移動履歴管理システムでは、読取ユニット１０は、電柱や電力計などの電力設備に取り付けられるものとしたが、これに限らず、読取ユニット１０を設置可能であり、かつ、通信ネットワーク３０に接続可能であるところであれば、どこに設置されていてもよい。例えば、読取ユニット１０を看板や信号機、道路標識、門柱などに設けるようにしてもよい。
【００４８】
また、タグ管理システム２０のタグ情報検索部２１４は、各ユーザＩＤについて、図１０のステップＳ３０１〜Ｓ３０４に従ってタグ情報の履歴を取得し、ユニット情報の設置位置の遷移のパターンを作成し、複数のパターンの類似性を一般的なパターンマッチングの手法を用いて比較し、他のＵＩＤとは異なるパターンとなっているＵＩＤを検出するようにすることもできる。この場合、タグ管理システム２０は、検出した異なるパターンのＵＩＤに対応するユーザＩＤと可搬物の名称とを可搬物データベース２３３から取得し、取得したユーザＩＤおよび可搬物の名称を出力する異常検出部を備えるようにすることができる。例えば、盗難が発生した場合には、盗品の移動履歴は、ユーザの移動履歴とは異なるパターンとなるので、盗難の発生を検知することができる。
【００４９】
また、本実施形態では、読取ユニット１０が読み取ったタグ情報はすべて、読取ユニット１０のタグ情報記憶部１３１と、タグ管理システム２０のタグ情報データベース２３２との両方に記録するようにしたが、これに限らず、最新のものから所定数のみを記憶し、あるいは現在の日時から過去に所定期間内のもののみを記憶するようにしてもよい。
【００５０】
また、タグ管理システム２０は、追跡ＩＤとともに日付の指定を受け付けて、受け付けた日付に対応するタグ情報のみを検索するようにしてもよい。また、タグ管理システム２０は、追跡ＩＤに対応する可搬物情報のＵＩＤに対応するタグ情報の最新の日時を特定し、最新の日時と同じ日付のタグ情報のみを取得するようにしてもよい。
【００５１】
また、本実施形態の移動履歴管理システムでは、地図上に移動履歴を表示するようにしたが、これに限らず、例えば表形式でタグ情報を表示するようにしてもよい。この場合、例えば、ＵＩＤごとに、タグ情報を表形式で表示するようにしてもよい。また、本実施形態では、読取ユニット１０の設置位置は緯度および経度により表されるものとしたが、これに限らず、読取ユニット１０の設置位置を、移動履歴の閲覧者が把握できる形式であればよい。例えば、読取ユニット１０の設置位置を住所により表すようにし、移動履歴を住所の一覧として表示するようにしてもよい。これにより、地図を表示したり、緯度経度から地図上の位置を算出したりする処理を省略することができる。したがって、タグ管理システム２０の処理負荷を低減することができる。またこの場合、日時順に並べたタグ情報のうち、複数のタグ情報の住所が同じである場合には、同じ住所で連続するタグ情報につき１つの住所のみを表示するようにしてもよい。これにより、移動履歴の閲覧者が追跡ユーザが移動した場所を容易に把握することができる。
【００５２】
また、本実施形態の移動履歴管理システムでは、位置を図形で表示するのみであったが、例えば、日時やタグ情報の記録データを合わせて表示するようにしてもよい。
【００５３】
また、タグ管理システム２０は、ＵＩＤごとにタグ情報に含まれる記録データの形式を管理しておき、タグ情報の記録データを解析した結果を出力するようにしてもよい。
【００５４】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００５５】
【図１】本実施形態の移動履歴管理システムの全体構成を示す図である。
【図２】読取ユニット１０のハードウェア構成を示す図である。
【図３】読取ユニット１０のソフトウェア構成を示す図である。
【図４】タグ情報記憶部１３１に記憶されるタグ情報の構成例を示す図である。
【図５】タグ管理システム２０のハードウェア構成を示す図である。
【図６】タグ管理システム２０のソフトウェア構成を示す図である。
【図７】読取ユニットデータベース２３１に記憶されるユニット情報の構成例を示す図である。
【図８】タグ情報データベース２３２に記憶されるタグ情報の構成例を示す図である。
【図９】可搬物データベース２３３に記憶される可搬物情報の構成例を示す図である。
【図１０】タグ管理システム２０が追跡ユーザについての移動履歴を出力する処理の流れを示す図である。
【図１１】タグ管理システム２０が出力する移動履歴の表示画面４１の一例を示す図である。
【符号の説明】
【００５６】
３    電柱
４    電力計
１０  読取ユニット
２０  タグ管理システム
３０  通信ネットワーク
４１  表示画面
１０１  ＣＰＵ
１０２  メモリ
１０３  記憶装置
１０４  通信インタフェース
１０５  ＩＣタグリーダ
１１１  タグ情報取得部
１１２  タグ情報取得要求受信部
１１３  タグ情報送信部
１３１  タグ情報記憶部
１３２  ユニットＩＤ記憶部
２０１  ＣＰＵ
２０２  メモリ
２０３  記憶装置
２０４  通信インタフェース
２０５  入力装置
２０６  出力装置
２１１  タグ情報取得要求送信部
２１２  タグ情報受信部
２１３  ユーザＩＤ入力部
２１４  タグ情報検索部
２１５  移動履歴出力部
２３１  読取ユニットデータベース
２３２  タグ情報データベース
２３３  可搬物データベース
【図１】
2010134621.tif 000003
【図２】
2010134621.tif 000004
【図３】
2010134621.tif 000005
【図４】
2010134621.tif 000006
【図５】
2010134621.tif 000007
【図６】
2010134621.tif 000008
【図７】
2010134621.tif 000009
【図８】
2010134621.tif 000010
【図９】
2010134621.tif 000011
【図１０】
2010134621.tif 000012
【図１１】
2010134621.tif 000013